(57)【要約】【課題】  空気を口腔内に送出することによって口腔内を洗浄する洗浄装置であって、酸素ボンベ等の酸素供給装置が必要なく、通気性菌以外の細菌も殺菌することができる洗浄装置を提供する。【解決手段】  本発明の洗浄装置は、空気を口腔内に送出することによって口腔内を洗浄する洗浄装置であって、吸い込んだ空気を送出する空気送出手段３２と、空気送出手段３２によって送出された空気に、プラスイオンとマイナスイオンとを放出するイオン発生装置２と、空気送出手段３２によって送出された空気を、イオン発生装置２によって放出されたイオンとともに口腔内に噴射するイオン噴射口１２を有するノズル１１と、空気送出手段３２とイオン噴射口３２との間に形成された導風管４１ａ，４１ｂとを備えている。【選択図】図２
2012179211.tif 000002
【特許請求の範囲】
【請求項１】
空気を口腔内に送出することによって口腔内を洗浄する洗浄装置であって、
吸い込んだ空気を送出する空気送出手段と、
前記空気送出手段によって送出された空気に、プラスイオンとマイナスイオンとを放出するイオン発生装置と、
前記空気送出手段によって送出された空気を、前記イオン発生装置によって放出されたイオンとともに口腔内に噴射するイオン噴射口を有するノズルと、
前記空気送出手段と前記イオン噴射口との間に形成された導風管とを備えることを特徴とする洗浄装置。
【請求項２】
洗浄水を吸い上げて噴射する洗浄水噴射ポンプと、前記洗浄水を口腔内に噴射する洗浄水噴射口と、前記洗浄水噴射ポンプと前記洗浄水噴射口との間に形成された導水管とをさらに備えることを特徴とする請求項１に記載の洗浄装置。
【請求項３】
前記洗浄水噴射口の洗浄水噴射方向は、前記イオン噴射口からイオンを含んだ空気が噴射されるイオン噴射方向と交差する方向に向いて形成されていることを特徴とする請求項２に記載の洗浄装置。
【請求項４】
前記洗浄水噴射口は前記ノズルに設けられ、前記導風管と前記導水管とは共に少なくともその一部が前記ノズルの内部に並設して形成されていることを特徴とする請求項２又は請求項３のいずれかに記載の洗浄装置。
【請求項５】
前記イオン発生装置は、前記ノズルに接続された把持部に設けられたことを特徴とする請求項１〜４のいずれかに記載の洗浄装置。
【請求項６】
前記イオン発生装置が発生させるイオンは、プラスイオンとしてＨ＋（Ｈ２Ｏ）ｍ（ｍは任意の自然数）、マイナスイオンとしてＯ２−（Ｈ２Ｏ）ｎ（ｎは０又は任意の自然数）であることを特徴とする請求項１〜５のいずれかに記載の洗浄装置。
【請求項７】
前記空気送出手段は、手で握ることにより収縮し空気を噴射することのできる手動ポンプであることを特徴とする請求項１〜６のいずれかに記載の洗浄装置。
【請求項８】
前記手動ポンプは、前記ノズルに接続された把持部に設けられたことを特徴とする請求項７に記載の洗浄装置。
【発明の詳細な説明】
【技術分野】
【０００１】
本発明は、イオンによって口腔内を洗浄する洗浄装置に関する。
【背景技術】
【０００２】
歯周病は、歯周組織に発生する疾患であり、近年疾患患者が増加している重大な病気である。この歯周病の原因は、歯周病の病原菌である細菌であるとされている。この歯周病の病原菌は、歯と歯茎の境目にある歯周ポケット内に非常に多く存在している。
【０００３】
歯周病の原因となる菌は非常に多数あり、その中でも特に歯周病への関連性が高いとされている３菌種がレッドコンプレックス(Red Complex)と呼ばれている。レッドコンプレックスとはP.g.菌(Porphyromonas gingivalis)、T.d.菌(Treponema denticola)、T.f.菌(Tannerella forsythensis)の３種類の菌のことであり、これらの菌は酸素を嫌う嫌気性菌である。
【０００４】
従来の歯周病の治療を行う装置としては、特許文献１に酸素を用いて歯周病の治療を行うことができる歯周病治療装置が開示されている。特許文献１に開示されている歯周病治療装置は、酸素ボンベから供給される酸素を歯周ポケット内に供給するための歯周ポケット洗浄端子を備えている。この歯周病治療装置によって歯周ポケット内に酸素を送り込むことで、嫌気性菌にダメージを与えることができる。
【先行技術文献】
【特許文献】
【０００５】
【特許文献１】特開２００７−３１９５３０号公報
【発明の概要】
【発明が解決しようとする課題】
【０００６】
しかしながら、特許文献１に記載された歯周病治療装置は、酸素ボンベ等の酸素供給装置が必要である。したがって、定期的に酸素ボンベの交換等の作業をしなければならない。また、口腔内に存在する細菌のうち、嫌気性菌以外の細菌は殺菌することができないという問題があった。 
【０００７】
本発明は、空気を口腔内に送出することによって口腔内を洗浄する洗浄装置であって、酸素ボンベ等の酸素供給装置が必要なく、嫌気性菌以外の細菌も殺菌することができる洗浄装置を提供することを目的とする。
【課題を解決するための手段】
【０００８】
本発明に係るイオン発生装置は、空気を口腔内に送出することによって口腔内を洗浄する洗浄装置であって、吸い込んだ空気を送出する空気送出手段と、上記空気送出手段によって送出された空気に、プラスイオンとマイナスイオンとを放出するイオン発生装置と、上記空気送出手段によって送出された空気を、上記イオン発生装置によって放出されたイオンとともに口腔内に噴射するイオン噴射口を有するノズルと、上記空気送出手段と上記イオン噴射口との間に形成された導風管とを備えることを特徴とする。
【０００９】
好ましくは、洗浄水を吸い上げて噴射する洗浄水噴射ポンプと、上記洗浄水を口腔内に噴射する洗浄水噴射口と、上記洗浄水噴射ポンプと上記洗浄水噴射口との間に形成された導水管とをさらに備える。
【００１０】
好ましくは、上記洗浄水噴射口の洗浄水噴射方向は、上記イオン噴射口からイオンを含んだ空気が噴射されるイオン噴射方向と交差する方向に向いて形成されている。
【００１１】
好ましくは、上記洗浄水噴射口は上記ノズルに設けられ、上記導風管と上記導水管とは共に少なくともその一部が上記ノズルの内部に並設して形成されている。
【００１２】
好ましくは、上記イオン発生装置が発生させるイオンは、プラスイオンとしてＨ＋（Ｈ２Ｏ）ｍ（ｍは任意の自然数）、マイナスイオンとしてＯ２−（Ｈ２Ｏ）ｎ（ｎは０又は任意の自然数）である。
【００１３】
好ましくは、上記空気送出手段は、手で握ることにより収縮し空気を噴射することのできる手動ポンプである。
【００１４】
好ましくは、上記手動ポンプは、上記ノズルに接続された把持部に備えられている。
【発明の効果】
【００１５】
本発明によれば、プラスイオンとマイナスイオンとにより、歯周ポケット内に存在する嫌気性菌を殺菌することができる。また、口腔内に存在する嫌気性菌以外の菌も殺菌することができ、さらに酸素ボンベの交換等の作業も必要ない。
【図面の簡単な説明】
【００１６】
【図１】第１の実施形態に係る洗浄装置の正面外観図である。
【図２】図１に示す洗浄装置の断面構造図である。
【図３】図１に示す洗浄装置のイオン発生装置周辺の拡大図である。
【図４】図３のＩＶ−ＩＶ線における部分断面図である。
【図５】第１の実施形態に係る洗浄装置の使用状態を示す図である。
【図６】第２の実施形態に係る洗浄器の断面構造図である。
【図７】第３の実施形態に係る洗浄器の断面構造図である。
【発明を実施するための形態】
【００１７】
以下、本発明に係る洗浄装置の実施の形態について図面を参照しながら説明する。
【００１８】
（第１の実施形態）
（洗浄装置の構成について）
図１に第１の実施形態に係る洗浄装置の正面外観図を示す。図２は図１に示す洗浄装置の断面構造図、図３は図２のイオン発生装置２周辺の拡大図、図４は図３のＩＶ−ＩＶ線における洗浄器１の部分断面図である。なお、以下の説明において、図１のＹ方向を上下方向とし、図１のＸ方向を水平方向とする。
【００１９】
第１の実施形態に係る洗浄装置は、主として、洗浄器１と本体部３と洗浄水タンク５０とで構成されている。
【００２０】
洗浄器１は、主としてノズル１１と把持部１４とで構成されている。ノズル１１は口腔内に入れることができるように、細い略円筒形状をしている。ノズル１１は先端付近で鋭角に曲げられており、ノズル１１の先端部には小さな穴状のイオン噴射口１２が設けられている。ノズル１１の上側から四分の一程度の位置には木の枝のようにノズル１１が分岐しており、その枝の部分の先端部には小さな穴状の洗浄水噴射口１３が設けられている。洗浄水噴射口１３が設けられているノズル１１の枝の部分は水平方向よりも少し上方向を向いて伸びている。第１の実施形態に係る洗浄装置では、イオン噴射口１２の直径および洗浄水噴射口１３の直径は共に直径１ｍｍである。
【００２１】
図２において、イオン噴射口１２および洗浄水噴射口１３から伸びている点線はそれぞれイオン噴射口１２，洗浄水噴射口１３からの噴射方向を示している。図２に示す通り、この２本の点線は交差している。すなわち、イオン噴射口１２と洗浄水噴射口１３はそれぞれの噴射口からの噴射方向が交差するように設けられている。第１の実施形態では、イオン噴射口１２が水平方向から下側に３０°傾いており、洗浄水噴射口１３は水平方向から上側に３０°傾いている。
【００２２】
ノズル１１の下側には扁平円柱形状のリブ１５が設けられており、リブ１５の下側に把持部１４と連結するための導風管連結部１６と導水管連結部１７とが設けられている。導風管連結部１６と導水管連結部１７とは細い円柱形状をしている。ノズル１１の内部には、イオン噴射口１２と導風管連結部１６とを連通させるノズル側の導風管４１ａと、洗浄水噴射口１３と導水管連結部１７とを連通するノズル側の導水管４２ａとが設けられている。ノズル側の導風管４１ａとノズル側の導水管４２ａとは、それぞれ空気と洗浄水を通過させることができる細い管である。第１の実施形態においては、ノズル側の導風管４１ａとノズル側の導水管４２ａとは共に一本のノズル１１の内部に並設して形成されている。
【００２３】
把持部１４は、中空の略円柱形状部材であり、正面側の外面に操作部１８が設けられている。操作部１８はイオン噴射ボタン１８１と洗浄水噴射ボタン１８２とから構成されており、イオン噴射ボタン１８１が上側、洗浄水噴射ボタン１８２が下側に配置されている。
【００２４】
把持部１４の内部には、本体側の導風管４１ｂと本体側の導水管４２ｂとが通されている。本体側の導風管４１ｂの端部と本体側の導水管４２ｂの端部とは、それぞれ把持部１４に設けられている接続パイプ４３に差し込まれて固定されている。本体側の導風管４１ｂと本体側の導水管４２ｂとは、接続パイプ４３に固定されていない側が把持部１４の側面に設けられた穴から把持部１４の外へ出ている。
【００２５】
本体側の導風管４１ｂの途中にはダクト４４が挟み込まれている。ダクト４４は略扁平直方体形状をしており、上下の片は大きく角が落とされている。このように角を落とすことで、ダクト４４内を流れる空気が受ける抵抗を減らしている。
【００２６】
ダクト４４の側壁にはイオン発生装置２が接続されている。イオン発生装置２は図４に示すように２つの放電電極２１ａ，２１ｂを備えている。ダクト４４の側壁の放電電極２１ａ，２１ｂに対応する位置には丸穴が設けられており、放電電極２１ａ，２１ｂがダクトの内部を臨むようになっている。第１の実施形態においては、放電電極２１ａ，２１ｂは水平方向に並設されている。すなわち本体側の導風管４１ｂを通る空気の導風方向と直行する方向に並設されている。
【００２７】
イオン発生装置２は図３および図４に示すように、針状の放電電極２１ａ，２１ｂをそれぞれ有する２つのイオン発生部を持ち、それら２つのイオン発生部がプリント基板２２によって保持された構造となっている。そして、給電部（図示せず）からの高電圧が２つのイオン発生部に供給されることによって、放電電極２１ａ，２１ｂにおいてイオンが発生する。
【００２８】
一方の放電電極２１ａを有するイオン発生部は、プラスイオンを発生するものであり、他方の放電電極２１ｂを有するイオン発生部は、マイナスイオンを発生するものである。
【００２９】
一方の放電電極２１ａを有するイオン発生部に正電圧が印加されると、放電によるプラズマ領域で空気中の水分子が電気的に分解し、主に水素イオンＨ＋が生成される。そして、生成された水素イオンの周りに空気中の水分子が凝集し、正のクラスターイオンＨ＋（Ｈ２Ｏ）ｍが形成される。「ｍ」は、任意の自然数である。
【００３０】
他方の放電電極２１ｂを有するイオン発生部に負電圧が印加されると、放電によるプラズマ領域で空気中の酸素分子が電気的に分解し、主に酸素イオンＯ２−が生成される。そして、生成された酸素イオンの周りに空気中の水分子が凝集し、負のクラスターイオンＯ２−（Ｈ２Ｏ）ｎが形成される。「ｎ」は、０または任意の自然数である。
【００３１】
正イオン及び負イオンは同時に空気中に放出されると、細菌やカビ等の微生物や臭い成分の表面で凝集してこれらを取り囲む。そして、式（１）〜（３）に示すように、瞬間的に正イオンと負イオンが結合して酸化力の非常に高い活性種である［・ＯＨ］（水酸基ラジカル）やＨ２Ｏ２（過酸化水素）を微生物等の表面上で生成する。この化学反応により微生物の表面のタンパク質や臭い成分を分解してその働きを抑制する。ここで、ｍ’は任意の自然数であり、ｎ’は０または任意の自然数である。
【００３２】
（化１）
Ｈ＋(Ｈ２Ｏ)ｍ＋Ｏ２−(Ｈ２Ｏ)ｎ→・ＯＨ＋1/2Ｏ２＋(ｍ＋ｎ)Ｈ２Ｏ ・・・（１）
Ｈ＋(Ｈ２Ｏ)ｍ＋Ｈ＋(Ｈ２Ｏ)ｍ’＋Ｏ２−(Ｈ２Ｏ)ｎ＋Ｏ２−(Ｈ２Ｏ)ｎ’
→ 2・ＯＨ＋Ｏ２＋(ｍ＋ｍ'＋ｎ＋ｎ')Ｈ２Ｏ ・・・（２）
Ｈ＋(Ｈ２Ｏ)ｍ＋Ｈ＋(Ｈ２Ｏ)ｍ’＋Ｏ２−(Ｈ２Ｏ)ｎ＋Ｏ２−(Ｈ２Ｏ)ｎ’
→Ｈ２Ｏ２＋Ｏ２＋(ｍ＋ｍ'＋ｎ＋ｎ')Ｈ２Ｏ ・・・（３）
ノズル１１は、把持部１４の上面に設けられた穴に導風管連結部１６および導水管連結部１７を差し込むことで、把持部１４と連結させることができる。このとき、ノズル１１は導風管連結部１６と導水管連結部１７とを、それぞれ接続パイプ４３に差し込むことで固定されている。ノズル１１は差し込みのみで固定しているので、ノズル１１は把持部１４に対し上方向に引っ張ることで外すことができ、着脱可能となっている。なお、接続パイプ４３の内側にアンダーカットを設け、導風管連結部１６および導水管連結部１７の円周に接続パイプ４３のアンダーカットに対応する突起を設けてもよい。
【００３３】
次に本体部３について説明する。本体部３は、本体ケース３１の内部に空気送出手段として空気ポンプ３２、洗浄水噴射ポンプ３３、逆止弁３４、吸気口３５、フィルタ３６、電源部３７、制御部３８が備えられている。
【００３４】
本体ケース３１は略直方体形状であり、洗浄器１の把持部１４側面から出ている本体側の導風管４１ｂと本体側の導水管４２ｂとが本体ケース３１の側面から本体ケース３１内部に引き込まれている。
【００３５】
本体ケース３１の中に設置されている空気ポンプ３２の吐出側には、本体側の導風管４１ｂが接続されている。空気ポンプ３２の吸込側は、本体ケース３１の側面に設けられた吸気口３５に連通している。吸気口３５にはフィルタ３６が設けられ、大きな塵埃を吸い込むのを防止している。
【００３６】
本体ケース３１の中に設置されている洗浄水噴射ポンプ３３の吐出側には、本体側の導水管４２ｂが接続されている。洗浄水噴射ポンプ３３の吸込側は、本体ケース３１の上面に設けられた穴を通して洗浄水タンク５０と連通している。洗浄水噴射ポンプ３３の吸込側と、洗浄水タンク５０の間の導水管の途中には、逆止弁３４が設けられており、洗浄水タンク５０の側に洗浄水が逆流するのを防止している。
【００３７】
本体ケース３１の中に設置されている電源部３７は、制御部３８と電気的に接続されており、制御部３８は空気ポンプ３２、洗浄水噴射ポンプ３３と電気的に接続されている。また、図示はしていないが、制御部３８はイオン発生装置２、操作部１８とも電気的に接続されている。
【００３８】
次に洗浄水タンク５０について説明する。洗浄水タンク５０は上面が開放した略直方体のタンクであり、底面に本体部３と連結するための穴が設けられている。洗浄水タンク５０は本体部３に対し着脱可能に設けられている。第１の実施形態では洗浄水として水道水を使用している。洗浄水として使用する液体は、水道水に限らず、例えば電解水や消毒液を希釈した水等であってもよい。
【００３９】
（洗浄装置の動作について）
第１の実施形態に係る洗浄装置は、空気ポンプ３２によって送出された空気に対し、イオン発生装置２によって放出されたプラスイオンとマイナスイオンとを、イオン噴射口１２から噴射することができる。また、洗浄水噴射ポンプ３３によって送出された洗浄水を洗浄水噴射口１３から噴射することができる。以下、この動作について詳細に説明する。
【００４０】
イオンをイオン噴射口１２から噴射させたいとき、ユーザーは操作部１８のイオン噴射ボタン１８１を押す。イオン噴射ボタン１８１が押されると、制御部３８は空気ポンプ３２を駆動し始める。空気ポンプ３２が駆動されることによって、洗浄装置外部の空気が吸気口３５からフィルタ３６を通って空気ポンプ３２に吸い込まれる。空気ポンプ３２に吸い込まれた空気は、空気ポンプ３２の吐出側に接続された本体側の導風管４１ｂを通ってダクト４４の中に送り出される。
【００４１】
また、同時にイオン発生装置２も制御部３８によって駆動され、放電電極２１ａ，２１ｂからそれぞれプラスイオン、マイナスイオンがダクト４４の内部に向けて放出される。本体側の導風管４１ｂを通って送り出された空気は、洗浄器１の内部にあるダクト４４でイオン発生装置２によって発生させられるプラスイオンとマイナスイオンとをさらって、イオンとともにノズル側の導風管４１ａを通りイオン噴射口１２に送られる。そして、イオンを含んだ空気が、イオン噴射口１２から噴射される。ノズル側の導風管４１ａは管の断面積が小さく、比較的高圧の空気が噴射される。
【００４２】
イオンの噴射を止める時は、ユーザーはもう一度イオン噴出ボタン１８１を押す。制御部３８は空気ポンプ３２の駆動を停止し、イオン噴射口１２からのイオンを含んだ空気の噴射は停止される。
【００４３】
次に、洗浄水を洗浄水噴射口１３から噴射させたいとき、ユーザーは操作部１８の洗浄水噴射ボタン１８２を押す。洗浄水噴射ボタン１８２が押されると、制御部３８は洗浄水噴射ポンプ３３を駆動し始める。洗浄水噴射ポンプ３３が駆動されることによって、洗浄水タンク５０の中に貯留された洗浄水５１が逆止弁３４を通って洗浄水噴射ポンプ３３に吸い込まれる。洗浄水噴射ポンプ３３に吸い込まれた洗浄水は、洗浄水噴射ポンプ３３の吐出側に接続された本体側の導水管４２ｂを通って送り出される。
【００４４】
本体側の導水管４２ｂを通って送り出された洗浄水は、本体側の導水管４２ｂに連通されたノズル側の導水管４２ａを通って洗浄水噴射口１３に送られる。そして、洗浄水噴射口１３から洗浄水が噴射される。ノズル側の導水管４２ａは管の断面積が小さく、比較的高圧の洗浄水が噴射される。
【００４５】
洗浄水の噴射を止める時は、ユーザーはもう一度洗浄水噴出ボタン１８２を押す。制御部３８は洗浄水噴射ポンプ３３の駆動を停止し、洗浄水噴射口１３からの洗浄水の噴射は停止される。
【００４６】
イオンと洗浄水とは同時に噴射することができる。また、イオンのみ噴射することもでき、洗浄水のみを噴射することもできる。ユーザーは操作部１８のイオン噴出ボタン１８１および洗浄水噴出ボタン１８２を操作することで、所望の動作をさせることができる。
【００４７】
次に実際に第１の実施形態に係る洗浄装置を用いて行う口腔内の洗浄方法を説明する。図５は口腔内に洗浄器１を入れ、口腔内の歯周ポケットを洗浄している様子を示した図である。ユーザーは口腔内に洗浄器１を入れてイオン噴出ボタン１８１を押し、プラスイオンおよびマイナスイオンを含んだ空気を、歯周ポケットに向けてイオン噴射口１２から噴出させる。比較的高圧の空気を歯周ポケット向けて吹出すため、歯周ポケットの内部にまでイオンを含んだ空気を入れることができる。
【００４８】
また、ユーザーは洗浄水噴出ボタン１８２を押し、洗浄水を歯周ポケットに向けて洗浄水噴射口１３から噴射させる。ここで、イオン噴射口１２と洗浄水噴射口１３はそれぞれの噴射口からの噴射方向が交差するように設けられているため、イオンを含んだ空気と洗浄水とは口腔内の同じような位置に向けて噴射されることになる。
【００４９】
（効果）
第１の実施形態に係る洗浄装置おいては、歯周ポケット内部にまでイオンを含んだ空気を入れることができるため、歯周ポケット内に大量に存在する歯周病の原因菌を殺菌することができる。この殺菌効果は、プラスイオンとマイナスイオンとが細菌の表面で反応することによる殺菌効果によるものであるため、嫌気性菌はもちろんのこと、嫌気性菌以外の細菌も殺菌することができる。
【００５０】
また、ノズル１１先端のイオン噴射口１２から歯周ポケットに向けて直接イオンを噴射するため、歯周ポケットをイオン噴射口１２から吹き出された風で押し開けると同時に歯周ポケット内にイオンが入っていく。このように、普段は閉じていて空気に触れることがない歯周ポケット内にイオンが侵入することで、歯周ポケット内の細菌を殺菌することができる。なお、特開２００７−３１９５３０号公報に開示されている歯周病治療装置では、酸素ボンベを使用し、酸素を歯周ポケット内に供給しているため、酸素を嫌う嫌気性菌を殺菌することはできるが、口腔内には嫌気性菌以外の細菌も多数存在し、それらの嫌気性菌以外の細菌は酸素のみでは殺菌することができない。また、酸素を用いて口腔内の嫌気性菌を殺菌する場合は、供給する酸素の濃度が高いと過呼吸が起こる可能性があるが、イオンで殺菌する場合にはそのような心配はなく、安心して使用することができる。
【００５１】
さらに、酸素ボンベや薬品を含んだ洗浄液等の有限の物質を使用するものではなく、空気中の水分子からイオンを生成し、そのイオンを使って殺菌を行っているため、酸素ボンベ等の交換の必要がなく洗浄装置のメンテナンスが容易である。
【００５２】
さらに、人体に害をもたらす可能性のあるオゾン水等を使用するものではなく、人体に無害な水素イオンＨ＋（Ｈ２Ｏ）ｍと酸素イオンＯ２−（Ｈ２Ｏ）ｎとを使用して殺菌を行っているため、人体に無害であり安心して使用することができる。
【００５３】
さらに、第１の実施形態における洗浄装置は、イオン噴射口１２と洗浄水噴射口１３とはそれぞれの噴射口からの噴射方向が交差するように設けられているため、イオンを含んだ空気と、洗浄水とは口腔内の同じような位置に向けて噴射されることになる。したがって、洗浄水が当たることで歯周ポケットが開けられ、開いた歯周ポケット内にイオンが入り込むことで殺菌することができる。イオンを含んだ空気の噴射圧がそれほど高くない場合でも、洗浄水が歯周ポケットを開け、開いた歯周ポケット内にイオンを供給することができる。イオンの殺菌作用により死滅した細菌は洗浄水により洗い流され、イオンと洗浄水との相互作用により口腔内−特に歯周ポケット内をきれいに洗浄することができる。
【００５４】
さらに、第１の実施形態に係る洗浄装置は、ノズル側の導風管４１ａと本体側の導水管４２ｂとは共に一本のノズル１１の内部に並設して形成されているため、口腔内には１本のノズル１１を入れるだけでよく使用時におけるユーザーの負担が少ない。
【００５５】
（第２の実施形態）
以下に、第２の実施形態に係る洗浄装置の構成について図面を参照しながら説明する。図６は、洗浄器１の断面構造図である。なお、以下では、第１の実施形態に係る洗浄装置との相違点を中心に説明する。
【００５６】
第２の実施形態に係る洗浄装置は、把持部１４が第１の実施形態と同じであり、ノズル１１が第１の実施形態に係る洗浄装置とは異なる。第１の実施形態に係る洗浄装置では、イオン噴射口１２と洗浄水噴射口１３とが、１本のノズル１１に設けられている。これに対し、第２の実施形態に係る洗浄装置では、イオン噴射口１２が設けられたイオンノズル１１１と、洗浄水噴射口１３が設けられた洗浄水ノズル１１２とが独立して形成されている。
【００５７】
詳細に説明すると、扁平円柱形状のリブ１５の上面から細い略円筒形状をしたイオンノズル１１１が上方に伸びるように形成されている。イオンノズル１１１は先端付近で鋭角に曲げられており、先端部に小さな穴形状のイオン噴射口１２が設けられている。洗浄水ノズル１１２は、リブ１５の上面にイオンノズル１１１と並設されている。洗浄水ノズル１１２もリブ１５の上面から上方に伸びるように形成されており、洗浄水ノズル１１２の先端付近がイオンノズル１１１の曲げ方向と同じ方向であって、かつ鈍角になるように曲げられている。
【００５８】
イオン噴射口１２と洗浄水噴射口１３はそれぞれの噴射口からの噴射方向が交差するように設けられている。第２の実施形態に係る洗浄装置では、イオン噴射口１２が水平方向から下側に３０°傾いており、洗浄水噴射口１３は水平方向から上側に３０°傾いている。
【００５９】
ノズル側の導風管４１ａとノズル側の導水管４２ａとは、それぞれ、イオンノズル１１１、洗浄水ノズル１１２の内部に形成されている。
【００６０】
（第３の実施形態）
以下に、第３の実施形態に係る洗浄装置の構成について図面を参照しながら説明する。図７は、洗浄器１の断面構造図である。なお、以下では、第１の実施形態に係る洗浄装置との相違点を中心に説明する。
【００６１】
第３の実施形態に係る洗浄装置は、本体部３に空気送出手段としての空気ポンプ３２を備えておらず、洗浄器１に手動ポンプ７０を備えている。手動ポンプ７０は洗浄器１の把持部１４に備えられているため、以下は把持部１４に備えられている手動ポンプ７０についてのみ説明を行う。
【００６２】
把持部１４は、中空の略円柱形状部材であり、樹脂製である上側部材と、ゴム製である下側部材（図７におけるハッチング部）とが、略円柱形状部材の上下方向の中央付近で結合されて構成されている。
【００６３】
手動ポンプ７０は、風船状のゴム部材であり、把持部１４の下側部材の内部に設けられている。手動ポンプ７０は吐出側が、下流側逆止弁７２を介してダクト４４と連通している。下流側逆止弁７２は、手動ポンプ７０側からダクト４４側に向けては空気を通すが、ダクト４４側から手動ポンプ７０側へは空気を通さない。手動ポンプ７０の吸込側は、上流側逆止弁７１を介して把持部１４の下面に設けられた吸気口７３と連通している。上流側逆止弁７１は、吸気口７３側から手動ポンプ７０側に向けては空気を通すが、手動ポンプ７０側から吸気口７３側へは空気を通さない。
【００６４】
イオン噴射口１２からイオンを含んだ空気を噴射するには、ユーザーは把持部１４のゴム製である下側部材を握ることで、下側部材とともに手動ポンプ７０を圧縮する。手動ポンプ７０を圧縮することで、手動ポンプ７０内にあった空気は下流側逆止弁７２、ダクト４４、本体側の導風管４１ｂ、ノズル側の導風管４１ａを順に通って、イオン噴射口１２からイオンとともに噴射される。
【００６５】
上記のように、ユーザーが手で手動ポンプ７０を操作することでイオンを含んだ空気がイオン噴射口１２から噴出されるため、別途空気ポンプ３２がなくてもイオンを噴射することができる。
【符号の説明】
【００６６】
１          洗浄器
１１        ノズル
１２        イオン噴射口
１３        洗浄水噴射口
１４        把持部
２          イオン発生装置
３          本体部
３２        空気ポンプ
３３        洗浄水噴射ポンプ
４１ａ      ノズル側の導風管
４１ｂ      本体側の導風管
４２ａ      ノズル側の導水管
４２ｂ      本体側の導水管
５０        洗浄水タンク
７０        手動ポンプ
【図１】
2012179211.tif 000003
【図２】
2012179211.tif 000004
【図３】
2012179211.tif 000005
【図４】
2012179211.tif 000006
【図５】
2012179211.tif 000007
【図６】
2012179211.tif 000008
【図７】
2012179211.tif 000009